(57)【特許請求の範囲】
【請求項１】
ラベルの外形サイズと、前記ラベルの印刷内容を示すラベル候補と、前記ラベルの発行者を特定する利用者ＩＤと、を関連付けた印刷データを記憶する記憶部と、
前記ラベルの外形サイズを示す候補であって、前記ラベルの原寸大の外形を有する原寸大外形サイズ候補を表示する外形サイズ候補表示部と、
前記外形サイズ候補表示部に表示された候補の中から、任意の前記原寸大外形サイズ候補を選択するための選択操作部と、
前記記憶部で前記利用者ＩＤに関連付けられた前記印刷データの中から、前記選択操作部で選択された前記原寸大外形サイズに関連付けられた印刷データを前記ラベル候補として表示するラベル候補表示部と、を備えたことを特徴とする表示装置。
【請求項２】
前記記憶部は、前記ラベル候補と、前記ラベルの印刷方向と、を関連付けて記憶していることを特徴とする請求項１に記載の表示装置。
【請求項３】
前記外形サイズ候補表示部は、前記原寸大外形サイズ候補が示す外形サイズについて、前記記憶部で関連付けられた前記ラベル候補の使用履歴に基づいて、前記原寸大外形サイズ候補の表示順を可変することを特徴とする請求項１または２に記載の表示装置。
【請求項４】
請求項１ないし３のいずれかに記載の表示装置と、
前記ラベル候補表示部に表示された前記ラベル候補のうち、任意のラベル候補を選択するラベル選択部と、
前記ラベル選択部により選択されたラベルを発行するラベル発行部と、を備えたことを特徴とするラベル発行装置。
【請求項５】
ラベルの外形サイズと、前記ラベルの印刷内容を示すラベル候補と、前記ラベルの発行者を特定する利用者ＩＤと、を関連付けた印刷データを記憶する記憶ステップと、
前記ラベルの外形サイズを示す候補であって、前記ラベルの原寸大の外形を有する原寸大外形サイズ候補を表示する外形サイズ候補表示ステップと、
前記外形サイズ候補表示ステップで表示された候補の中から、任意の前記原寸大外形サイズ候補を選択するための選択操作ステップと、
前記記憶ステップで前記利用者ＩＤに関連付けられた前記印刷データの中から、前記選択操作ステップで選択された前記原寸大外形サイズに関連付けられた印刷データを前記ラベル候補として表示するラベル候補表示ステップと、を備えたことを特徴とする表示方法。
【請求項６】
前記記憶ステップは、前記ラベル候補と、前記ラベルの印刷方向と、を関連付けて記憶していることを特徴とする請求項５に記載の表示方法。
【請求項７】
前記外形サイズ候補表示ステップは、前記原寸大外形サイズ候補が示す外形サイズについて、前記記憶ステップで関連付けられた前記ラベル候補の使用履歴に基づいて、前記原寸大外形サイズ候補の表示順を可変することを特徴とする請求項５または６に記載の表示方法。
【請求項８】
コンピューターに、請求項５ないし７のいずれかに記載の表示方法における各ステップを実行させるためのプログラム。
【発明の詳細な説明】
【技術分野】
【０００１】
本発明は、ラベル候補を表示する表示装置、ラベル発行装置、表示方法、およびプログラムに関するものである。
【背景技術】
【０００２】
一般的に、印刷装置は、印刷を行うための印刷設定画面において、印字物の印刷イメージを表示する（例えば、特許文献１参照）。この印刷イメージは、ユーザーが、印字物の印刷結果を印刷実行前に確認するために用いられる（プレビュー表示）。特許文献１には、予め登録された印刷データに基づいて、ポップ広告や価格ラベルの印刷を行う装置が記載されている。この装置は、印刷を行うポップ広告や価格ラベルの印刷イメージ、実際に印刷されるサイズにかかわらず、装置の表示部に表示可能な大きさでプレビュー表示する。例えば、プレビュー表示される印刷イメージが、実際に印刷されるサイズに対して縮小あるいは拡大されて表示される。よって、当該装置は、印字物の実際の印刷サイズを提示するために、印刷イメージと共に用紙サイズを文字で表示する。
【先行技術文献】
【特許文献】
【０００３】
【特許文献１】特開２００１−２０９６３４号公報
【発明の概要】
【発明が解決しようとする課題】
【０００４】
ところで、商品に貼付する商品ラベルを作成する場合、ラベルの大きさ、貼付する場所、印刷品質などによって商品の販促効果に違いが生じるため、ラベルの印刷サイズや印刷品質の管理が重要である。しかし、上記のプレビュー表示では、印刷物の用紙サイズを文字で表示するものの、表示される印刷イメージが、実際の印刷サイズと異なっているため、発行されたラベルが、ユーザーの所望のサイズと異なる場合がある。この場合、予定していた場所にラベルを貼付できないといった問題が発生する。また、プレビュー表示によって印刷結果を確認したとしても、印刷サイズと印刷内容との相性の悪さに起因する印刷不良、例えば、印刷サイズが小さい場合に印刷内容が縮小され、画面上では確認できない文字および画像のつぶれ、印字ズレなどが発生する可能性がある。この場合、印刷品質のよいラベルを発行することができない。
【０００５】
本発明は、上記の点に鑑み、ユーザーが、発行されるラベルの原寸大サイズを把握可能にすると共に、当該サイズにあった印刷内容のラベル候補をユーザーに提示することができる表示装置、ラベル発行装置、表示方法、およびプログラムを提供することを目的とする。
【課題を解決するための手段】
【０００６】
本発明の表示装置は、ラベルの外形サイズと、ラベルの印刷内容を示すラベル候補と、ラベルの発行者を特定する利用者ＩＤと、を関連付けた印刷データを記憶する記憶部と、ラベルの外形サイズを示す候補であって、ラベルの原寸大の外形を有する原寸大外形サイズ候補を表示する外形サイズ候補表示部と、外形サイズ候補表示部に表示された候補の中から、任意の原寸大外形サイズ候補を選択するための選択操作部と、記憶部で利用者ＩＤに関連付けられた印刷データの中から、選択操作部で選択された原寸大外形サイズに関連付けられた印刷データをラベル候補として表示するラベル候補表示部と、を備えたことを特徴とする。
【０００７】
本発明の表示方法は、ラベルの外形サイズと、ラベルの印刷内容を示すラベル候補と、ラベルの発行者を特定する利用者ＩＤと、を関連付けた印刷データを記憶する記憶ステップと、ラベルの外形サイズを示す候補であって、ラベルの原寸大の外形を有する原寸大外形サイズ候補を表示する外形サイズ候補表示ステップと、外形サイズ候補表示ステップで表示された候補の中から、任意の原寸大外形サイズ候補を選択するための選択操作ステップと、記憶ステップで利用者ＩＤに関連付けられた印刷データの中から、選択操作ステップで選択された原寸大外形サイズに関連付けられた印刷データをラベル候補として表示するラベル候補表示ステップと、を備えたことを特徴とする。
【０００８】
本発明のプログラムは、コンピューターに、上記の表示方法における各ステップを実行させることを特徴とする。
【０００９】
これらの構成によれば、原寸大外形サイズ候補を表示することによって、ユーザーは、発行されるラベルの原寸大の大きさを把握し、適切なサイズのラベルを選択することができる。また、選択したサイズにあった印刷内容のラベル候補が提示されるため、ユーザーは、提示されたラベル候補に基づいてラベルの編集や印刷を行うことで、サイズにあった印刷不良の無いラベルを容易に発行することができる。
【００１０】
この場合、記憶部は、ラベル候補と、ラベルの印刷方向と、を関連付けて記憶していることが好ましい。
【００１１】
この構成によれば、ラベルの外形サイズだけではなく、ラベルの印刷方向にあった適切なラベル候補を提示することができる。
【００１２】
上記の表示装置において、原寸大外形サイズ候補表示部は、原寸大外形サイズ候補が示す外形サイズについて、記憶部で関連付けられたラベル候補の使用履歴に基づいて、原寸大外形サイズ候補の表示順を可変することが好ましい。
【００１３】
この構成によれば、選択された外形サイズに関連付けられたラベル候補の中から、選択される可能性の高いラベル候補を上位に表示することができるため、ユーザーにとって利便性がよい。
【００１４】
本発明のラベル発行装置は、上記の表示装置と、ラベル候補表示部に表示されたラベル候補のうち、任意のラベル候補を選択するラベル選択部と、ラベル選択部により選択されたラベルを発行するラベル発行部と、を備えたことを特徴とする。
【００１５】
この構成によれば、ユーザーがラベルの原寸大サイズを把握可能にすると共に、当該サイズにあった印刷不良の無いラベルを容易に発行することができる。
【図面の簡単な説明】
【００１６】
【図１】本発明の一実施形態に係るラベル発行装置の模式外観図である。
【図２】ラベル発行装置の制御ブロック図である。
【図３】記憶部の記憶内容を示す図である。
【図４】ラベル発行時の画面遷移図である。
【図５】ラベルサイズ選択画面を示した図である。
【図６】ラベルサイズに応じて表示されるラベルサンプルを示す図である。
【発明を実施するための形態】
【００１７】
以下、添付の図面を参照し、本発明の一実施形態にかかる表示装置、ラベル発行装置、表示方法およびプログラムについて説明する。図１は、ラベル発行装置１の外観を模式的に示した図である。図示のように、ラベル発行装置１は、タッチパネルディスプレイ２およびラベル排出口３を備え、内部には、プリント機構４および制御装置５（いずれも図２参照）を備えている。タッチパネルディスプレイ２は、ラベルを発行するための各種画面を表示する表示部として、また、各種操作を行うための操作部として、機能する（図４参照）。ラベル排出口３は、タッチパネルディスプレイ２の操作に応じて作成されたラベルを排出する。
【００１８】
図２は、ラベル発行装置１の制御構成を示すブロック図である。図示のように、ラベル発行装置１は、プリント機構４、タッチパネルディスプレイ２および制御装置５を備えている。プリント機構４は、印刷ヘッド、用紙搬送機構、用紙カット機構など、用紙に印刷を行いラベルを発行するための各構成を備えている（いずれも図示省略）。制御装置５は、プリント機構４の各構成を駆動させるドライバー群１１、ラベルの印刷データを記憶する記憶部１２、およびこれらを統括制御する制御部１３を備えている。制御部１３は、ドライバー群１１を介したプリント機構４の駆動制御や、タッチパネルディスプレイ２の表示制御を行う。なお、「ラベル発行部」とは、主に制御部１３およびプリント機構４をさす。
【００１９】
図３は、ラベル発行装置１の記憶部１２の記憶内容を示している。図示のように、記憶部１２は、ラベルの印刷データを記憶し、さらに各印刷データに関連付けて、ラベルの外形サイズ、印刷方向、印刷（編集）日、累計印刷枚数および利用者ＩＤを記憶している。
【００２０】
印刷データには、ラベルに印刷される画像データやテキストデータなど（いずれも図示省略）が含まれている。この印刷データに基づいたラベルサンプル４１が、ラベル選択画面Ｄ４（図４参照）に表示される。ラベルの外形サイズは、図示のように、「５０×３０ｍｍ」、「７２×５１ｍｍ」、「８０×１００ｍｍ」および「１００×１３０ｍｍ」の４種類が設けられ、印刷データごとにいずれかの外形サイズが記憶されている。なお、本ラベル発行装置１は、矩形の縦横寸法で示した外形サイズを記憶している。印刷方向は、４種類の外形サイズのラベルに対して、縦長方向に印刷を行う「縦使い」と、横長方向に印刷を行う「横使い」と、の２種類が設けられ、印刷データごとにいずれかの印刷方向が記憶されている。ラベルの外形サイズおよび印刷方向は、ラベルサンプル４１として表示する印刷データを選択するために用いられる。
【００２１】
印刷（編集）日は、印刷データに基づく印刷または編集が行われた日であり、累計印刷枚数は、印刷データに基づくラベルの印刷が行われた累計の枚数である。印刷（編集）日および累計印刷枚数は、ラベルサンプル４１の表示順を決定するために用いられる。また、利用者ＩＤは、ラベルの発行者を特定する情報として用いられる。本実施形態では、ログイン中の利用者ＩＤに関連付けられた印刷データに基づくラベルのみが、印刷および編集可能となっている。
【００２２】
次に、図４を参照し、タッチパネルディスプレイ２に表示される各種画面について説明する。同図は、ラベルの発行に伴うタッチパネルディスプレイ２の画面遷移図である。最初に、タッチパネルディスプレイ２には、ログイン画面Ｄ１が表示される。ログイン画面Ｄ１には、利用者ＩＤおよび暗証番号を入力するためのテキストボックスおよびテンキーと、ログインボタンと、が表示される。利用者ＩＤおよび暗証番号が入力され、ログインボタンが押下されると、画面は、メインメニュー画面Ｄ２に移行する。
【００２３】
メインメニュー画面Ｄ２には、印刷メニューボタン、編集メニューボタン、新規発行ボタン、削除メニューボタン、印刷履歴ボタン、暗証番号変更ボタンが表示される。印刷メニューボタンは、記憶部１２に記憶されている任意の印刷データに基づいたラベルを印刷する画面に移行するためのボタンである。編集メニューボタンは、記憶部１２に記憶されている任意の印刷データを編集する画面に移行するためのボタンである。新規発行ボタンは、利用者が印刷データを新規発行する画面に移行するためのボタンである。削除メニューボタンは、記憶されている任意の印刷データを削除する画面に移行するためのボタンである。印刷履歴ボタンは、ラベルの印刷履歴を表示するためのボタンであり、暗証番号変更ボタンは、暗証番号を変更するためのボタンである。これらのボタンのうち、印刷メニューボタンおよび編集メニューボタンが押下されると、画面は、ラベルサイズ選択画面Ｄ３に移行する。なお、以下、印刷メニューボタンが押下されたものとして説明を進める。
【００２４】
ラベルサイズ選択画面Ｄ３（外形サイズ候補表示部）は、ラベルサイズ候補３１と、表示順変更ボタン３２と、ページ切り替えボタンと、を表示する。ラベルサイズ候補３１は、印刷するラベルのラベルサイズを選択するために用いられる。表示順変更ボタン３２は、ラベルサイズ候補３１の表示順を変更するために用いられる。図示のように、表示順変更ボタン３２は、３つのボタンを有し、これらのボタンの押下によって、ラベルサイズ候補３１の表示順を「ラベルのサイズ順」、「最近使用した順」、「累計印刷枚数順」のいずれかに変更することができる。なお、「最近使用した順」とは、ラベルサイズ候補３１の示すラベルサイズに関連付けて記憶された１以上のラベルの印刷または編集が行われた日が現在日に近い順を意味する。また、「累計印刷枚数順」とは、ラベルサイズ候補３１の示すラベルサイズに関連付けて記憶された１以上のラベルの累計印刷枚数順を意味する。なお、図４におけるラベルサイズ選択画面Ｄ３では、ラベルサイズ候補３１は、「ラベルのサイズ順」で表示されている。ページ切り替えボタンは、複数あるラベルサイズ選択画面Ｄ３のページを切り替えるためにもちいられる。なお、「ラベル候補の使用履歴」とは、「最近使用した順」および「累計印刷枚数順」をさす。
【００２５】
ここで、図５を参照し、ラベルサイズ選択画面Ｄ３について詳細に説明する。上記の通り、本ラベル発行装置１は、４種類の外形サイズを記憶しており、さらに、２種類の印刷方向を記憶している（図３参照）。すなわち、４種類の外形サイズに２種類の印刷方向を掛け合わせた８種類のラベルサイズを記憶している。図５に示すように、ラベルサイズ選択画面Ｄ３は、この８種類のラベルサイズに対応した８つのラベルサイズ候補３１を、３ページに亘って表示する。
【００２６】
各ラベルサイズ候補３１は、ラベルの外形を模った枠画像３１ａと、ラベルの外形サイズ（例えば、５０×３０ｍｍなどの寸法）および印刷方向（横使い、縦使い）を文字で表示したサイズ文字情報３１ｂと、で構成されている。枠画像３１ａは、ラベルの外形である矩形状を成し、縦横共に自身の示すラベルと同寸法で構成されている。すなわち、枠画像３１ａは、ラベルの原寸大の外形を有している（原寸大外形サイズ候補）。これにより、利用者は、印刷するラベルの実際のサイズを直感的に確認することができる。また、原寸大の枠画像３１ａに加えて寸方および印刷方向を文字で表示することによって、さらに正しいラベルサイズの選択を促すことができる。なお、枠画像３１ａは、ラベルの原寸大の外形を有していれば良く、上記のような矩形に限られるものではない。例えば、ラベルが円形であれば、枠画像３１ａは当該ラベルの原寸大の円形で表示される。
【００２７】
利用者は、上記のように表示される８種類のラベルサイズ候補３１の中から所望のラベルサイズを選択する。そして、任意のラベルサイズが選択されると、画面は、ラベル選択画面Ｄ４に移行する（選択操作部）。
【００２８】
図４に示すように、ラベル選択画面Ｄ４（ラベル候補表示部）は、ログイン画面Ｄ１において入力された利用者ＩＤに関連付けられた印刷データの中から、ラベルサイズ選択画面Ｄ３において選択されたラベルサイズに関連付けられている印刷データをラベルサンプル４１（ラベル候補）として表示する。図示のように、ラベル選択画面Ｄ４は、６つのラベルサンプル４１を表示する。なお、表示するラベルサンプル４１が６以上存在する場合は、ラベルサンプル４１の下方にページ切り替えボタンが表示される。
【００２９】
ここで、図６を参照し、ラベル選択画面Ｄ４に表示されるラベルサンプル４１について説明する。同図（ａ）は、ラベルサイズ選択画面Ｄ３においてラベルサイズ＜１＞（５０×３０ｍｍの横使い）が選択された場合に表示されるラベルサンプル４１の例を示している。この場合、ラベル選択画面Ｄ４は、ラベルサンプル４１として、枠線を有しない原材料ラベルや、シンプルなイラストを有するラベルや、文字数の少ないラベルを表示する。言い換えれば、本ラベル発行装置１は、ラベルサイズ＜１＞のような印字面積の小さいラベルサイズに関連付けて、１枚のラベルに対する印刷量が少ない印刷データを記憶している。これにより、小さいラベルを選択した場合、印刷量の少ない印刷データに基づくラベルサンプル４１のみが表示されるため、選択されたラベルサイズに対して印刷量が多いことに起因する文字や画像の印字ズレ、つぶれを防ぎ、ラベルの印刷品質を保つことができる。
【００３０】
図６（ｂ）は、ラベルサイズ選択画面Ｄ３においてラベルサイズ＜７＞（１００×１３０ｍｍの横使い）が選択された場合に表示されるラベルサンプル４１の例を示している。この場合、ラベル選択画面Ｄ４は、ラベルサンプル４１として、枠線を有する原材料ラベルや、写真や複雑な画像を有するラベルや、文字数の多いラベルを表示する。言い換えれば、本ラベル発行装置１は、ラベルサイズ＜７＞のような印字面積の大きいラベルサイズに関連付けて、１枚のラベルに対する印刷量が多い印刷データを記憶している。
【００３１】
なお、本実施形態では、選択されたラベルサイズに関連付けられた印刷データのみを、ラベルサンプル４１として表示するものとしたが、選択されたラベルサイズ以下のラベルサイズに関連付けられた印刷データのすべてをラベルサンプル４１として表示しても良い。なお、ラベル選択画面Ｄ４において選択されたラベルサンプル４１のラベルサイズが、ラベルサイズ選択画面Ｄ３において選択されたラベルサイズよりも小さい場合には、印刷時に、ラベルサンプル４１のラベルイメージを、選択されたラベルサイズにあわせて拡大処理してもよい。
【００３２】
図６（ｃ）は、ラベルサイズ選択画面Ｄ３においてラベルサイズ＜８＞（１００×１３０ｍｍの縦使い）が選択された場合に表示されるラベルサンプル４１の例を示している。この場合、ラベル選択画面Ｄ４は、ラベルサンプル４１として、枠線を有し、且つ縦長の原材料ラベルや、縦書きのテキストを有するラベルを表示する。言い換えれば、本ラベル発行装置１は、ラベルサイズ＜８＞のような縦使いのラベルサイズに関連付けて、縦使いに対応した縦長または縦書きの印刷データを記憶している。これにより、縦長のラベルの用途に合った内容のラベルサンプル４１を利用者に提示することができる。
【００３３】
利用者は、上記のように表示されるラベルサンプル４１の中から所望のラベルを選択する。そして、任意のラベルが選択されると、画面は、印刷画面Ｄ５に移行する（ラベル選択部）。
【００３４】
図４に示すように、印刷画面Ｄ５は、選択されたラベルサンプル４１に対応するラベルのラベルイメージと、印刷枚数を入力するためのテキストボックスおよびテンキーと、印刷指示を行うための印刷ボタンと、が表示される。印刷枚数が入力され、印刷ボタンが押下されると、選択されたラベルサンプル４１の印刷データに基づいて、ラベルが、設定した枚数印刷される。
【００３５】
これまで説明してきた、ラベル発行装置１によれば、利用者がラベルサイズを選択する際に、ラベル原寸大のラベルサイズ候補３１（枠画像３１ａ）を提示するため、利用者は、ラベルの大きさを直感的に把握した上で所望のラベルサイズを適切に選択できる。また、ラベル発行装置１は、選択されたラベルサイズにあった印刷データに基づくラベルサンプル４１を、予め抽出して表示するため、印刷されるラベルの印刷不良を防いで印刷品質を保ち、また、選択されたラベルサイズの用途に応じたラベルサンプル４１を利用者に提示することができる。
【００３６】
また、上記の実施形態において、ラベルを発行するプリント機構４および制御装置５が一体となったラベル発行装置１を例示したが、プリント機構４および制御装置５は、別体の装置であってもよい。
【００３７】
なお、上記のラベル発行装置１の各構成要素をプログラムとして提供することも可能である。また、そのプログラムを記憶媒体（図示省略）に格納して提供することも可能である。記録媒体としては、ＣＤ−ＲＯＭ、フラッシュＲＯＭ、メモリカード、コンパクトディスク、光磁気ディスク、デジタルバーサタイルディスクおよびフレキシブルディスク等を利用することができる。
【００３８】
また、上述した実施例によらず、ラベル発行装置１の装置構成や処理工程等について、本発明の要旨を逸脱しない範囲で、適宜変更も可能である。
【符号の説明】
【００３９】
１：ラベル発行装置  ２：タッチパネルディスプレイ  ４：プリント機構  １２：記憶部  １３：制御部  ３１：ラベルサイズ候補  ３１ａ：枠画像  ３１ｂ：サイズ文字情報  ３２：表示順変更ボタン  ４１：ラベルサンプル  Ｄ３：ラベルサイズ選択画面  Ｄ４：ラベル選択画面
【図１】
0005821398.tif 000002
【図２】
0005821398.tif 000003
【図３】
0005821398.tif 000004
【図４】
0005821398.tif 000005
【図５】
0005821398.tif 000006
【図６】
0005821398.tif 000007